(57)【要約】    【課題】内部アンテナと外部アンテナとの切り換えを確実かつ簡便に行うことのできるデータキャリア質問器等の無線機器を提供する。    【解決手段】無線機器１０は、データの受入／発生部２４に通じる通信回路２６を共通端子３３とする切換スイッチ８の、第１切換端子３１が内部アンテナ４に通じ、第２切換端子３２が脱着コネクタ１６，１７を介して外部アンテナ３に通じており、該脱着コネクタ１６，１７の接近または接触を検知するセンサ７、および該センサ７の出力により切換スイッチ８の切換制御部２９を有することを特徴とする。【選択図】          図１
2008219412.tif 000002
【特許請求の範囲】
【請求項１】
データ発生/受入部に通じる通信回路を共通端子とする切換スイッチの、第１切換端子が内部アンテナに通じ、第２切換端子が脱着コネクタを介して外部アンテナに通じており、該脱着コネクタの接近または接触を検知するセンサ、および該センサの出力により切換スイッチの切換制御部を有することを特徴とする無線機器。
【請求項２】
該無線機器がデータキャリアシステムのデータキャリア質問器であることを特徴とする請求項１に記載の無線機器。
【請求項３】
該センサが、外部アンテナに取り付けられた磁性体を検知する磁気センサであることを特徴とする請求項１に記載の無線機器。
【請求項４】
該センサが、該共通端子と該第２切換端子との導通を検知する電気センサであることを特徴とする請求項１に記載の無線機器。
【発明の詳細な説明】
【技術分野】
【０００１】
本発明は、外部アンテナの接続により、通信回路との接続を内部アンテナから外部アンテナに切り換え可能なデータキャリア質問器等の無線機器に関するものである。
【背景技術】
【０００２】
データキャリア質問器等の無線機器は、端末内にアンテナ（内部アンテナ）及び通信回路を内蔵し、通信回路が内部アンテナを介して非接触ＩＣタグ等の応答器とのデータ通信を行っている。内部アンテナは、端末内の物理的スペースの制約から、小型化されている。そのため、小型化された内部アンテナは、通信距離が短い。
【０００３】
その解決策として、無線機器に外部アンテナを接続して通信距離を延ばしている。この際、通信回路との接続を内部アンテナから外部アンテナに切り換える必要がある。
【０００４】
そのため、無線機器と外部アンテナとの接続部分である着脱コネクタには、同軸スイッチやアンテナ切換スイッチ等の機構的切換スイッチが備えられている。これらの着脱コネクタを備えた無線機器及び外部アンテナは、構造上大きく、重い。また、着脱コネクタ同士の位置合わせが難しく、手間がかかる。落下等の衝撃を受けると、着脱コネクタが変形してこの位置合わせはさらに困難になる。この場合、着脱コネクタ同士が接続されても、機構的切換スイッチが正常に働かないことがある。また、無線機器を携帯端末等に用いる場合には、着脱コネクタに防水性能を備えていることが求められる。しかしながら、防水性能を備えた着脱コネクタは、構造が複雑なため、製造が非常に困難であり、コストがかかる。
【０００５】
特許文献１には、センサを有する外部アンテナ用コネクタと、内蔵アンテナと、高周波信号の経路となる高周波ケーブルとを備え、外部アンテナのプラグがコネクタの着脱をセンサによって検知し、検知した信号を受けた電気的制御スイッチにより内蔵アンテナ又は外部アンテナ用コネクタのいずれかを選定するアンテナ回路が示されている。
【０００６】
【特許文献１】特開平８−１７２３７７号公報
【発明の開示】
【発明が解決しようとする課題】
【０００７】
本発明は、前記の課題を解決するためになされたもので、内部アンテナと外部アンテナとの切り換えを確実かつ簡便に行うことのできるデータキャリア質問器等の無線機器を提供することを目的とするものである。
【課題を解決するための手段】
【０００８】
前記の目的を達成するためになされた、特許請求の範囲の請求項１に記載の無線機器は、データ発生/受入部に通じる通信回路を共通端子とする切換スイッチの、第１切換端子が内部アンテナに通じ、第２切換端子が脱着コネクタを介して外部アンテナに通じており、該脱着コネクタの接近または接触を検知するセンサ、および該センサの出力により切換スイッチの切換制御部を有することを特徴とする。
【０００９】
請求項２に記載の無線機器は、請求項１に記載されたもので、該無線機器がデータキャリアシステムのデータキャリア質問器であることを特徴とする。
【００１０】
請求項３に記載の無線機器は、請求項１に記載されたもので、該センサが、外部アンテナに取り付けられた磁性体を検知する磁気センサであることを特徴とする。
【００１１】
請求項４に記載の無線機器は、請求項１に記載されたもので、該センサが、該共通端子と該第２切換端子との導通を検知する電気センサであることを特徴とする。
【発明の効果】
【００１２】
本発明の無線機器は、着脱コネクタの接近・接触をセンサで検知することにより、内部アンテナと外部アンテナとの切り換えを確実かつ簡便に行うことができる。したがって、無線機器は、着脱コネクタの構造が単純化され、小型化・軽量化が図られる。
【００１３】
また、着脱コネクタの構造が単純なため、コネクタ同士の位置合わせを簡便に行うことができる。
【００１４】
センサは非接触で外部アンテナの接近・接触を検知できるので、防水性能を備えた着脱コネクタであっても、着脱コネクタの構造を単純化することができる。
【実施例】
【００１５】
以下、本発明の実施例を、図面を参照して詳細に説明するが、本発明の範囲はこの実施例に限定されるものではない。
【００１６】
本発明を適用する無線機器の実施例としてデータキャリア質問器、及び外部アンテナのブロック図が図１に示されている。
【００１７】
データキャリア質問器１０には、主にデータ受入／発生部２４，通信回路２６，アンテナ回路１２，給電部２１及び内部アンテナ４が備えられている。アンテナ回路１２は、磁気センサ７，切換制御部２９及び切換スイッチ８からなる。切換スイッチ８には、共通端子３３，第１切換端子３１及び第２切換端子３２が備えられている。データ受入／発生部２４は、通信回路２６に接続されている。通信回路２６は、共通端子３３，第１切換端子３１及び給電部２１を介して内部アンテナ４に接続されている。スプリングコネクタ１７（質問器側着脱コネクタ）は、切換スイッチ８の第２切換端子３２に接続されている。また、データキャリア質問器１０には、表面近傍に磁気センサ７が備えられている。磁気センサ７は、切換制御部２９を介して切換スイッチ８と接続されている。
【００１８】
外部アンテナ３には、磁石６，接点端子１６（外部アンテナ側着脱コネクタ）及び給電部２２が備えられている。外部アンテナ３のアンテナは、給電部２２を介して接点端子１６に接続されている。そして、外部アンテナ３は、表面近傍に磁石６が備えられている。
【００１９】
また、接点端子１６と磁石６との幅と、スプリングコネクタ１７と磁気センサ７との幅は、一致している。
【００２０】
このデータキャリア質問器は、以下のようにしてデータ送信が行われる。
【００２１】
データ受入／発生部２４は、データ信号を通信回路２６に伝達する。通信回路２６は、伝達されたデータ信号を、共通端子３３，第１切換端子３１及び給電部２１を介して内部アンテナ４に伝達する。内部アンテナ４は、データ信号を外部の応答器（不図示）に送信する。
【００２２】
応答器からデータ受入／発生部２４へのデータ受信は、上記と逆の流れによって行われる。
【００２３】
接点端子１６とスプリングコネクタ１７との位置を合わせ、外部アンテナ３を矢印に示すように、外部アンテナ３の接点端子１６をスプリングコネクタ１７に接続する。すると、磁気センサ７は接近した磁石６の磁界を検知する。磁気センサ７は、検知した信号を切換制御部２９に出力する。出力された検知信号により、切換制御部２９は、切換スイッチ８に信号を送り、共通端子３３の接続を第１切換端子３１から第２切換端子３２に切り換える。すると、通信回路２６は、内部アンテナ４から外部アンテナ３に接続が切り換わり、外部アンテナ３を介して応答器との通信が可能となる。
【００２４】
図１に示す矢印と逆の方向に引き抜き、接続された外部アンテナ３の接点端子１６を質問器１０のスプリングコネクタ１７から抜く。すると、磁気センサ７は、信号を検知しなくなり、それをトリガとする切換制御部２９の信号により共通端子３３の接続を第２切換端子３２から第１切換端子３１に切り換える。通信回路２６は、外部アンテナ３から内部アンテナ４に接続が切り換わり、内部アンテナ４を介して応答器との通信が可能となる。
【００２５】
無線機器及び外部アンテナの着脱コネクタとしては、構造が単純なコネクタや接点端子を用いればよく、スプリングコネクタのような接触のみのバネ式接点であることが好ましい。
【００２６】
図２に、本発明を適用する図１の実施例のデータキャリア質問器におけるアンテナ回路１２の等価回路図の実施例が示されている。
【００２７】
データキャリア質問器は、アンテナ回路１２が、磁気センサ７，切換スイッチ８及びスイッチングトランジスタ４３で構成されている。スイッチングトランジスタ４３はＮＰＮトランジスタであり、ベースに磁気センサ７が接続し、エミッタに切換スイッチ８が短絡し、コレクタにスプリングコネクタ１７が接続している。
【００２８】
通信回路２６は、共通端子３３及び第一切換端子３１を介して給電部２１に接続されている。外部アンテナの接点端子１６をスプリングコネクタ１７に接続すると、磁気センサ７は接近した磁石６の磁界を検知する。磁気センサ７からのベース電圧でスイッチングトランジスタ４３がオンになり切換スイッチ８は給電部２２と接続する。すると、切換スイッチ８は、共通端子３３の接続を第１切換端子３１から第２切換端子３２に切り換える。すると、通信回路２６は、内部アンテナ４から外部アンテナ３に接続が切り換わり、外部アンテナ３を介して応答器との通信が可能となる。
【００２９】
外部アンテナの接点端子１６をスプリングコネクタ１７から抜く。すると、磁気センサ７は磁石６の磁界を検知しなくなる。これにより、磁気センサ７からのベース電圧がなくなるため、スイッチングトランジスタ４３がオフになり、切換スイッチ８は給電部２２との接続が切断される。これをトリガとして切換スイッチ８は、共通端子３３の接続を第２切換端子３２から第１切換端子３１に切り換える。すると、通信回路２６は、外部アンテナから内部アンテナに接続が切り換わり、内部アンテナを介して応答器との通信が可能となる。
【００３０】
図３に、本発明を適用するデータキャリア質問器の別な実施例のアンテナ回路のブロック図が示されている。
【００３１】
データキャリア質問器は、スプリングコネクタ１７が、切換制御部２９の入力となっている。センサは格別設けていない。その余は、図１と同様の構造を有している。
【００３２】
通信回路２６は、切換スイッチ８の共通端子３３及び第１切換端子３１を介して給電部２１に接続されている。外部アンテナの接点端子１６をスプリングコネクタ１７に接続すると、給電部２２からの電流で、切換制御部２９は切換スイッチ８に信号を送り、共通端子３３の接続を第１切換端子３１から第２切換端子３２に切り換える。すると、通信回路２６は、内部アンテナから外部アンテナに接続が切り換わり、外部アンテナを介して応答器との通信が可能となる。
【００３３】
外部アンテナの接点端子１６をスプリングコネクタ１７から抜くと、給電部２２から切換制御部２９への電流が止まる。これをトリガとして切換制御部２９は切換スイッチ８に信号を送り、共通端子３３の接続を第２切換端子３２から第１切換端子３１に切り換える。すると、通信回路２６は、外部アンテナから内部アンテナに接続が切り換わり、内部アンテナを介して応答器との通信が可能となる。
【００３４】
図４には、本発明を適用する図３の実施例のデータキャリア質問器におけるアンテナ回路１２の等価回路図の実施例が示されている。
【００３５】
データキャリア質問器は、アンテナ回路１２が、スイッチングトランジスタ４１、４２で構成されている。スイッチングトランジスタ４１はＮＰＮトランジスタであり、ベースにスプリングコネクタ１７が接続し、コレクタに通信回路２６が短絡し、エミッタにスプリングコネクタ１７が接続している。スイッチングトランジスタ４２はＰＮＰトランジスタであり、トランジスベースにスプリングコネクタ１７が接続し、トランジスエミッタに通信回路２６が短絡し、トランジスコレクタに給電部２１が接続している。
【００３６】
通信回路２６は、スイッチングトランジスタ４２を介して給電部２１に接続されている。外部アンテナの接点端子１６をスプリングコネクタ１７に接続すると、給電部２２からのベース電圧でスイッチングトランジスタ４１がオンになり通信回路２６は給電部２２と接続する。同じく給電部２２からのベース電圧で、スイッチングトランジスタ４２がオフになり、通信回路２６は給電部２１との接続が切断される。すると、通信回路２６は、内部アンテナから外部アンテナに接続が切り換わり、外部アンテナを介して応答器との通信が可能となる。
【００３７】
外部アンテナの接点端子１６をスプリングコネクタ１７から抜くと、給電部２２からのベース電圧がなくなるため、スイッチングトランジスタ４１がオフになり通信回路２６は給電部２２との接続が切断される。同じく給電部２２からのベース電圧がなくなるため、スイッチングトランジスタ４２がオンになり、通信回路２６は給電部２１と接続する。すると、通信回路２６は、外部アンテナから内部アンテナに接続が切り換わり、内部アンテナを介して応答器との通信が可能となる。
【図面の簡単な説明】
【００３８】
【図１】本発明を適用する無線機器の実施例としてデータキャリア質問器、及び外部アンテナを示すブロック図である。
【図２】本発明を適用する図１の実施例のデータキャリア質問器におけるアンテナ回路を示す等価回路図である。
【図３】本発明を適用する無線機器の別な実施例としてデータキャリア質問器のアンテナ回路を示すブロック図である。
【図４】本発明を適用する図３の実施例のデータキャリア質問器におけるアンテナ回路を示す等価回路図である。
【符号の説明】
【００３９】
３は外部アンテナ、４は内部アンテナ、６は磁石、７は磁気センサ、８は切換スイッチ、１０はデータキャリア質問器、１２はアンテナ回路、１６は接点端子、１７はスプリングコネクタ、２１は給電部、２２は給電部、２４はデータ受入／発生部、２６は通信回路、２９は切換制御部、３１は第１切換端子、３２は第２切換端子、３３は共通端子、４１・４２・４３はスイッチングトランジスタである。
【図１】
2008219412.tif 000003
【図２】
2008219412.tif 000004
【図３】
2008219412.tif 000005
【図４】
2008219412.tif 000006